(57)【要約】本発明は数個の風力発電装置からなるウインドパークの運転方法に関する。ウインドパークは電力網に接続され、発生電力を供給する。ウインドパーク及び/又は少なくとも一つの風力発電装置は、ウインドパークの電力を０から100％の範囲で調整するために用いられる制御入力部が備えられる。データ処理装置は制御入力部に接続され、電力網に給電される出力部にて、全体のウインドパークから利用できる電力量に基づき、０から100％の制御値を調整するために用いられる。ウインドパークが接続される電力供給網の管理者(EVU)は、制御入力部を通じてウインドパークで生じた電力を調整できる。
2005505223.tif 000002
【特許請求の範囲】
【請求項１】
複数の風力発電装置を備えたウインドパークの運転方法であり、ウインドパークは、給電網に接続され、ウインドパークにより生じた電力はその給電網に供給され、ウインドパークおよび/又は、ウインドパークの風力発電装置の少なくとも１つは、制御入力部を有し、その制御入力部を用いて、ウインドパークまたは一つ以上の風力発電装置の電力が、利用できる個々の電力、特に公称電力の０から１００％の範囲内に設定でき、そして、制御入力部に接続されたデータ処理装置を備え、ウインドパーク全体がその出力部にて給電網に供給する電力の大きさに応じて、そのデータ処理装置を用いて０から１００％の間の範囲に設定値が設定され、そして、ウインドパークが接続される給電網の管理者(PSU)は、制御入力部を用いて、ウインドパークにより供給される電力を調整できる、ウインドパークの運転方法。
【請求項２】
給電網に供給できる、または供給できるかもしれない電力よりも大きい公称電力を有し、前記電力供給網に接続されるウインドパーク。
【請求項３】
ウインドパークの一つ以上の風力発電装置またはすべての風力発電装置は、最大可能電力網供給電力値に達した時に出力が絞られる請求項２記載のウインドパーク。
【請求項４】
出力のしぼり値の大きさが、すべての風力発電装置で同じであるか、それとも異なる請求項１から３のいずれかに記載のウインドパーク。
【請求項５】
ウインドパークは一つ以上の風力発電装置を備え、風力発電装置により供給される電力は、その合計を、供給できる最大可能電力値(公称電力)よりも低い、最大可能電力網供給値に制限し、前記最大可能供給値は、エネルギーが供給される電力網の受け取る能力(電力容量)により、および/または、電力伝送ユニットまたは変圧器の電力容量により決定され、その手段により、風力発電装置で生じたエネルギーが電力網に供給される請求項２から４のいずれかに記載のウインドパーク。
【請求項６】
ウインドパーク内で最初に風が当たる風力発電装置は、風方向で前記風力発電装置の背後に位置する風力発電装置にくらべて、より少なく制限される請求項２から５のいずれかに記載のウインドパーク。
【請求項７】
電気的パワーを電力網に供給するための発電機を有する、少なくとも一つの風力発電装置を備えるウインドパークの運転方法であり、ウインドパークにより電力網に供給される電力は、電力網の周波数に依存して調整または調節される方法。
【請求項８】
ウインドパークにより電力網に供給される電力は、電力網の周波数が所定値を超過もしくは低下した時に減じられる請求項７に記載の方法。
【請求項９】
風力発電装置の供給電力は、電力網の周波数がそれの基準値より３％好ましくは６％超過、または下回った時に低減される請求項８記載の方法。
【請求項１０】
請求項１から９のいずれかに基づく方法を実行するために、少なくとも１つの風力発電装置を備えるウインドパークであり、前記風力発電装置は、ロータ、電力網に電力を供給するために前記ロータに結合した発電機を備え、調整装置は、電力網に印加された電圧(電流)の周波数を測定するための周波数検出器を有し、そして、ウインドパークにより電流網に供給された電力は、周波数検出器により測定された電力網の周波数に依存して調節できるか、外部(PSU)から調節できる、ウインドパーク。
【請求項１１】
前記調整装置はマイクロプロセッサを有する請求項４記載のウインドパーク。
【請求項１２】
前記風力発電装置(ウインドパーク)はマイクロプロセッサに結合したインバータを有する請求項１１記載のウインドパーク。
【請求項１３】
風力発電装置の機械的パワーは、風に対して調節可能なロータブレードにより生成される請求項１０〜１２のいずれかに記載のウインドパーク。
【請求項１４】
もし電力網の周波数が、その基準値に対する所定値、好ましくは基準値の２％を超過した時、または下回った時に、風力発電装置はいかなる電力も供給しない請求項１０〜１３のいずれかに記載のウインドパーク。
【請求項１５】
電力を電力網に供給するために、風力発電装置のロータにより駆動される発電機を備える風力発電装置を有するウインドパークの運転方法であり、
電力網に供給される電力の電圧および/又は電流を制御する制御装置を備え、電力網の少なくとも一箇所での電圧を測定するための手段を備え、その測定値は、制御装置に供給され、その制御装置は、測定値に基づき位相角の変更を行い、前記位相角φは、供給される電流と電圧との間の位相差を決定する運転方法。
【請求項１６】
前記位相角φは、電力網の少なくとも１箇所での電圧が実質的に変化しないように変更される請求項１５記載の方法。
【請求項１７】
前記電圧は、電力網内の少なくとも一つの所定ポイント(２２、２７)で検出される請求項１５又は１６に記載の方法。
【請求項１８】
前記電圧は、給電ポイントとは異なるポイント(２２、２７)で検出される請求項１５〜１７のいずれかに記載の方法。
【請求項１９】
前記位相角φとして設定されるべき値は、所定の特性値に由来する請求項１５〜１８のいずれかに記載の方法。
【請求項２０】
前記調整は、電力網内にて、スイッチング装置への直接的または間接的な実行による請求項１５〜１９のいずれかに記載の方法。
【請求項２１】
電圧網の部分(６、７)に対し、対応する電圧検出手順と位相角φによる調整手順とが別々に実行される請求項１５〜２０のいずれかに記載の方法。
【請求項２２】
装置(１０)は請求項１５〜２１に基づく方法を実行する風力発電装置。
【請求項２３】
少なくとも二つの風力発電装置を有し、上述したいずれかの請求項に基づく方法を実行するための装置(１０)および、ウインドパークの個別に調節可能なウインドパークの部分を個別に調整できる個別の電圧検出装置(２２、２７)を備えるウインドパーク。
【請求項２４】
給電網の電圧が公称電圧以下の値、例えば電力網の電圧値の７０から９０％の間の値に降下した時、ウインドパークは、所定の極めて短い時間、例えば２から６秒の間、電力網から切り離される請求項２３に記載のウインドパーク。
【請求項２５】
ウインドパークの電力の増大または低下が、１分あたり、ウインドパークの電力網接続能力の５から１５％の間の値に、好ましくは１０％の値に制限される請求項２３又は２４に記載のウインドパーク。
【発明の詳細な説明】
【０００１】
この発明はウインドパークの運転方法およびそのようなウインドパークに関する。
風力発電装置は、最初は一般的に個別のユニットの形態で建設され、ごく最近では、行政官庁および建築制限による理由から、風力発電装置は、ウインドパーク(風力発電所基地)にしばしば設置される。最小ユニットのウインドパークについては、少なくとも２基の風力発電機が設置され、しばしば、非常に多数の風力発電装置が設置される。Holtriem(East Frisia)でのウインドパークの建設例の例では、５０基以上の風力発電装置がアレイ状に設置されている。ユニットの個数および設置された風力発電装置の電力も、数年の内に飛躍的に増大すると期待されている。最も一般的なケースでは、風力発電装置は、短絡パワーが低レベルで、低い人口密度の電力網の地域で多く設置されている。風力発電装置の技術的な接続限界がまもなく到来する。その結果、別の風力発電装置をそのような地域にもはや設置できなくなる。
【０００２】
例えば５０MW変圧器の変電所に接続される一般的なウインドパークは、それ故、最大５０MWの合計電力しか持つことができず、つまり、たとえば各々が公称１MWの風力発電装置なら５０基が限界となる。
【０００３】
風力発電装置は定格モードで常に動作しておらず、そのため、ウインドパーク全体は常にその最大電力(定格電力)に達していないことを念頭におくと、風力発電装置の定格電力が、供給され得る最大可能合計電力に相当するなら、ウインドパークは最適な使用状態となっていない。
【０００４】
従ってこの発明は、ウインドパークが最大可能供給電源よりも大きい電力合計出力を有する場合の解決を提案する。上述の例に適用すると、電力を５０MW以上の値、例えば５３MWに上げることができる。風力が突然に高くなり、５０MWの限界を発生するや否や、この発明によるウインドパーク調整システムは、常時計測している最大電力出力が超過した時に、作動して個々のまたはすべての発電所の出力を抑制する。このことは、公称の風速(風力発電装置の出力が定格出力に達する速度)を上回る風速にて、少なくとも一つ、またはすべての風力発電装置が(次第に)電力出力が絞られる(たとえば、１MWから９４０KWの電力レベルにされる)。
【０００５】
この発明の利点は明白である。給電回路網全体の回路網要素(例えば変圧器や電源ライン)を適切な使用状態にでき、あるいは、最適な方法(温度限界までの使用も可能)で調和した負荷を持つことができる。風力発電装置の設置数を最大な個数に設定できるため、既存のウインドパークのエリアでより多く設置できる。その個数は既存の電源網の能力によりもはや(そのように厳密に)制限されない。
【０００６】
風力発電装置を制御し調節するため、それがデータ入力の出力／方法部を有するなら、電気出力が(公称電力に対して)０〜１００％の範囲に設定できることが望ましい。もし、例えば３５０KWの基準値がデータ入力部に印加されるなら、風力発電装置の最大電力出力は、３５０KWの基準値を超過しない。０から公称電力のいずれかの値(例えば０から１MW)が参考値として可能である。
【０００７】
前記データ入力部は直接に、電力制限目的のために用いることができる。しかし、回路網(ウインドパークの回路網または給電回路網)の電圧に依存して発電機の電力出力を調節するためのレギュレータの出力によっても可能である。
【０００８】
ウインドパークの調節に基づき、別の重要な機能を以下述べる。ウインドパークが、それぞれ６００KWの公称出力を有する１０基の風力発電装置を備えると仮定する。回路網の要素であるキャパシタンス(ラインキャパシタンス)または変電所変圧器内の制限されたキャパシタンスのために、供給されるべき最大電力は、５２００KWに制限される。
【０００９】
(データ入力される)基準値の手段により、今や風力発電装置すべてを５２０KWの最大電力に制限することができる。このことは、供給されるべき電力を制限するための要求に常に迎合させる。
【００１０】
別の可能性は、すべての装置の合計での最大電力を許可するのではなく、一時に最大エネルギー量(KW-H)を出力することである。
【００１１】
それに関して、低い時に、ウインドパーク内で風速を適切にするために、有利(良好)な箇所にある風力発電装置(ウインドパーク内で最初に風を受ける箇所)が最大の風量を受けることがしばしば発生する。ここですべての風力発電装置が同時に絞られた値(たとえばすべてが５２０KW)に降下されたなら、生成される前記出力は、良好な箇所に設置のいくつかの風力発電装置により確実に達成されるが、他のいくつかの風力発電装置は、風量が少なく、そのため例えば、４６０KWでしか運転できず、最大に絞られた電力の５２０KWに達しない。ウインドパークの全体の出力は、許可された制限出力電力の５２００KWを実質的に下回る。
【００１２】
この発明によりウインドパークの電力調節は、上記のケースでは、最大可能エネルギー出力が設定されるように、個々の装置を調節する。このことは、特定の条件では、たとえば、第１列の(つまり良好な場所にある)装置は、より高い電力(たとえば公称電力(従って全く絞られていない))に調整される。そのため、ウインドパーク内の全体の電力は上昇する。パーク調整装置はしかしながら、同時に生成される電力量(ＫＨｈ)が最大値に達する一方、許可された最大の電気的接続電力を超過しないように、個々の装置を調整する。
【００１３】
この発明に基づくウインドパークの管理は、生じるそれぞれの状況に対応できる。その結果、例えば、もし、ウインドパーク内の個々の一つ又は複数が弱められるなら(弱めるべきなら)、もし、保守または他の理由のために、個々の装置または多数の装置を一時的に呈しさせなければならないなら、個々の装置の電力に対して異なって絞ることが極めて簡単に行える。
【００１４】
ウインドパークまたは個々の装置を制御／調節するために、データ／制御の処理装置(これは、装置のデータ入力部に接続され、ここの装置で得られた風速データから、個々の装置またはウインドパーク全体に対する、それぞれの最も有利な電力絞り値を得る)を用いることができる。
【００１５】
図１は、インバータ装置(PWR)に接続されたマイクロプロセッサ(μP)の手段による、風力発電装置の制御を示すブロック図を示し、そのマイクロプロセッサの手段により、多相交流電流を電源網に供給できる。そのマイクロプロセッサは、電力入力 P、電力ファクタを入力するための入力(cosφ)および電力傾斜を入力するための入力(dp/dt)を持つ。
【００１６】
整流器、整流中間回路およびインバータを有するインバータ装置は、風力発電装置の発電機に接続され、回転速度が可変(つまり、風力発電装置の回転速度に依存)の発電機により生じたエネルギーをそこから受け取る。
【００１７】
図示した設計は、風力発電装置により供給された電力が、その値の範囲内で電源網の最大可能値にいかに制限されるかを示すのに役立つ。
【００１８】
図２は、例えば風力発電装置１、２、３(これらは風向き方向から眺めており、２機は両側に位置し、第３のみのは２機の背後に位置する)を備える基本的なウインドパークを示す。個々の風力発電装置は、図１の個々の装置の電力を設定するための電力入力を有するので、個々の風力発電装置の電力レベルは、データ処理装置の手段により所望の値に設定でき、そのデータ処理装置の手段により、ウインドパーク全体が制御される。風力発電装置に対する有利な箇所は、風が最初に当たる箇所のものであり、図２では、風力発電装置１、２である。
【００１９】
また、この発明は、風力発電装置が接続された電源網に電力を供給するために、ロータにより駆動される発電機を備える少なくとも一つの風力発電装置を有するウインドパークの運転方法に関する。この発明はさらに、電気の消費者、特に電源網に電力を供給するために、ロータ、そのロータに結合された発電機を備えた風力発電装置に関する。
【００２０】
低電力の(孤立の)電力網の場合、比較的大きな消費者が電力網から切り離されたなら、電力網の周波数が急速(突然に)に上昇する。たとえばディーゼルエンジン、水車などのごとき駆動機構は、それらの電気的および機械的な電力を減じるのにいくらかの時間を要する。その間に、これらの発電機は、電力網から引き出される電力よりも多くのエネルギーを発生する。そのエネルギーは発電機を加速するために消費される。このことは、回転速度、つまり、同時に電力網の周波数が上昇することを意味する。
【００２１】
電力網に接続されているので、多くの電気的なデバイス、例えばコンピュータ、電気モータなどは、しかしながら、電力網の周波数の変化およびそれの急速な変化に対して設計されていないので、電気的デバイスに損傷を生じ、破壊に至ることもある。
【００２２】
この発明の目的は、風力発電装置(ウインドパーク)が電力網に接続された時に、上述した問題を排除することにある。
【００２３】
この発明によれば、前記目的は請求項７で述べた特徴を持つ方法、および請求項１０で述べた特徴の風力発電装置により達成される。有利な展開は、従属請求項に対応して述べられている。
【００２４】
この発明によれば、風力発電装置が低電力の電力網上で動作しているなら、それらの(機械的および)電気的な電力が、上昇する電力網の周波数に依存して制御されるべきであると提案している。電力網の周波数のさらなる増大を防止すること、または電力網の周波数を低下させることを目的とする。この発明の態様は実施例を用いて更に詳しく述べる。
【００２５】
図１１は、電力網の周波数ｆに依存して、出力電力Ｐを減じるために(ウインドパークの)風力発電装置での要求を示す。この場合、１００％の値は、電力網の基準または目標とする周波数(50Hz,60Hz)を示す。１０６．２％および１０２％の値は電力網の周波数ｆのより高い値に対応する。
【００２６】
例えば電力網周波数に０．６％の上昇があった時(つまり１００．６％)、(ウインドパークの)風力発電装置の電気的なパワーは、まだ低減されない。もしその後、電力網周波数が更に上昇すると、風力発電装置の電気的なパワーが低減される。図示した例では、風力発電装置の電気的なパワーは、電力網周波数が１０２％まで上昇した時、電力が０に低減される。
【００２７】
図１３は、前記要求を満たす風力発電装置の実施例を示す。その風力発電装置は、それの機械的なパワーを低減できるように、調整可変のロータブレード(ロータブレードのピッチ調整)を有する。もし、たとえば、風に対するロータブレードの入射角が調節されると、ロータブレードへの力も所望の値に低減できる。ロータブレードを担うロータに結合された発電機(不図示)からの交流電流の整流器２を用いて整流され、そして、コンデンサ３により平滑化される。インバータ４は、つぎに、直流電圧を交流電流に変換し、それは電圧網Ｌ１、Ｌ２、Ｌ３に供給される。出力電流の周波数は電力網によって決定される。マイクロプロセッサを備える調整装置５は、電力網の周波数を計測し、出力周波数が電力網周波数に一致するように、インバータのパワースイッチを制御する。上述したようにもし、電力網周波数が上昇すると、図１１に示されるように、電気的パワーが低減される。
【００２８】
図１４はこの発明による調整装置を示す。風力発電装置の図形的に示されたロータ４は、風速、つまり風力に応じて電気的パワーを出力する発電機Ｇに結合される。発電機Ｇで発生された交流電圧は、まず、インバータによって整流され、そして、電力網周波数に一致する周波数の交流電圧に変換される。電力網の給電ポイントでの電力網電圧は、電力網周波数検出器を用いて確かめられる。電力網周波数が所定値を超過するや否や、図１１にあるように、電力網周波数の更なる上昇を打ち消すために、電気的パワー出力が低減される。その結果、調整装置の手段によって、電力網周波数は望ましい電力網周波数の値に調節されるか、更なる周波数の上昇が抑止される。
【００２９】
風力発電装置により供給される電力をそのようにして調節することにより、電力網周波数の変動を回避でき、あるいはかなりに低減できる。
【００３０】
図１５は、電力網への風力発電装置の接続を示し、風力発電装置により生成された電気的パワーは電力網の給電ポイントにて与えられる。例えば家の形で図形的に示した多数の消費者は、その電力網に接続されている。
【００３１】
図１６は、図１３と少し異なった制御調整装置の本質的な要素を示す。制御および調整の構成は、発電機で生じた交流電圧を整流する整流器を有する。整流器に接続された周波数変換器は、元々、中間回路によって整流された直流電圧を交流電圧に変換し、ラインＬ１、Ｌ２、Ｌ３の３相交流電圧の形態の電力網に供給する。その周波数変換器は、調整装置全体の一部であるマイクロコンピュータを用いて制御される。前記目的のために、マイクロプロセッサは、周波数変換器に接続される。電圧調整のための入力パラメータ(そのパラメータを用いて、風力発電装置２により利用できる電気的パワーが電力網に供給される)は、電力の傾きdP/dtとともに、現在の一般的な電圧網電圧、電力網周波数ｆ、発電機の電気的パワーＰ、リアクタンスのパワーファクタ cos_である。そのマイクロプロセッサは、この発明に基づき、望ましい電力網周波数にて、供給されるべき電圧に関して調整できる。
【００３２】
また、この発明は、電力網に電力を供給し、そしてそれに接続された消費者に供給するために、ロータにより駆動できる発電機を有する少なくとも一つの風力発電装置を含むウインドパークの運転方法に関する。
【００３３】
また、この発明は、風力発電装置(ウインドパーク)に関し、特にそのような方法を実行するために、ロータ、電力網に電力を供給するためにロータに結合された発電機を備えた風力発電装置(ウインドパーク)に関し、ウインドパークは少なくとも二つの風力発電装置を含む。
【００３４】
風力エネルギーから電気エネルギーを生成するための公知の風力発電装置では、発電機は、電気の消費者、しばしば電力網とパラレルの関係で動作する。風力発電装置の運転中、発電機で生じた電気的な有効電力は、現在に起こっている風速に依存して変化する。その結果、電力網の電圧(大きさおよび/又は位相)も、現在起こっている風速に依存して、例えば給電ポイントで変化する。給電される電流についても同様である。
【００３５】
電力網、例えば公衆の電力メインに供給される電気的パワーを供給することを含む状況では、電力網電圧に変化が起きる。しかしながら、接続された消費者の信頼できる動作の観点では、そのような変化は、極めて接近した限界内でのみ許可される。
【００３６】
給電網での回路電圧に関し、特に中間電圧レベルにて、基準値から顧客的大きな変移は、所定の限界値を超過するか下回った時に、ステップ変圧器のようなスイッチデバイスを動作させる限り、その変移を補償できる。そのようにして、電力網電圧が実質的に所定の許容範囲内に維持される。
【００３７】
この発明の目的は、風力発電装置やウインドパークのみでなく、風力発電装置の運転方法に関し、有効電力の供給に変動があっても、風力発電装置を設置することなく、電力網の所定のポイントにて、望まれない電圧変動を減じるか、少なくとも大きく増大させないことにある。
【００３８】
この発明(請求項１５)は、この明細書の冒頭で述べた種類の方法で、風力発電装置により生成された電気的パワーの位相角φまたは装置が電力網で検出した少なくとも一つの電圧に依存して変化させるようにして、この目的を達成する。
【００３９】
この明細書の冒頭で述べた種類の風力発電装置では、上記目的は、この発明に基づく方法を実行できる装置により達成される。
【００４０】
この明細書の冒頭で述べた種類の風力発電装置では、上記目的は、ウインドパークの調整可能な部分を各々個別に調整するために、この発明に基づく方法を実行するのに適した個々の装置の少なくとも一つ、および個々の電圧検出装置により達成される。
【００４１】
この発明は、供給される電力の位相角を消費者または電力網の電圧に依存して変化させることにより、消費者での印加電圧、特に電力網での電圧での望まれない変動を回避する。このことが、風力発電装置により供給された有効電力の変化により起こる、望ましくない電圧変動、および/または消費者により電圧網から取り出される電力を補償する。
【００４２】
特に好ましい特徴として、電力網内の少なくとも１カ所のポイントでの電圧が実質的に一定となるように、位相角が変えられる。このような状況では、要求された調節用のパラメータを得るために、電力網の少なくとも１ポイントでの電圧が検出される。
【００４３】
特に前記ポイントは、給電ポイント以外のポイントである。電圧の大きさおよび風力発電装置により与えられた電気的パワーの位相角での適した変化の検出は、迅速な応答および効果的な調整システムを提供できる。
【００４４】
特に好ましい実施例では、位相角として設定されるべき値は、予め設定された特性値から与えられる。これらの特性値は、好ましくはテーブルの形態で提供でき、そのテーブルには、予め決定された特性カーブの一群が個別の値の形態で表されており、このテーブルが設定されるべき位相角を推定することを可能にする。
【００４５】
この発明の好ましい実施例では、調整システムが直接にまたは間接的に上記特性値を与え、もし電圧変動が所定の限界値を超過するなら、電力網内のスイッチデバイス、例えばステップ変圧器の動作により、電圧が許容範囲内に再度戻される。位相角に適した変化を与えることにより、その後に発生する電圧変動を再度補償できるように、同時に、またはそれに関連して、位相角が所定の時間の間に、一定値、好ましくは平均値、例えば０に設定される。
【００４６】
この発明の特に好ましい展開では、電力網の電気的に離れた部位を調整して、各部位のの電圧が実質的に一定となるように、適した電圧決定手順および位相角に対する設定操作も前記各部位にて個別に実行できる。
【００４７】
この発明による風力発電装置の別の展開は、デジタル調整を実行できるようにマイクロプロセッサを有する調整装置を有利に提供する。
【００４８】
この明細書の冒頭で述べたウインドパークの好ましい展開は、この発明に基づく方法を実行するのに適した個々の装置および、ウインドパークの電気的に分離した箇所も個別に調整して、電力網のそれぞれの部位で実質的に一定となるように、ウインドパークのそれぞれ個別に調整できる部分に対する個々の電圧検出装置を備える。
【００４９】
この発明は、風力発電装置の運転方法の実施例を添付図を参照して以下述べる。図２１に図形的に示した風力発電装置２は、ロータ４を有し、電力網６(例えば公衆またはメインの電力網)に接続される。多数の電気消費者８が電力網に接続される。風力発電装置２の発電機(図２１では不図示)は、電気的制御および調節装置１０に接続され、この調整装置１０は、まず、発電機で生じた交流電流を整流し、次にそれを、電力網の周波数と等しい周波数の交流電流に変換する。その制御および調整装置１０は、この発明に基づく調整デバイスを有する。
【００５０】
電圧検出デバイス２２は、電力網６の任意のポイント２２に備えることができ、その電圧検出デバイスは、(位相に加えて)特に電力網の電圧の大きさを測定し、そしてその測定値を適した調整パラメータとして調整装置１０に戻す。
【００５１】
図２２は、この発明に基づく調整装置を示す。図形化したロータ４は、風速に応じた電力を発生する発電機１２に結合される。発電機１２で生じた交流電圧は、まず、整流され、次に電力網の周波数に一致する周波数の交流電圧に変換する。
【００５２】
回路網の電圧は、電力網６の位置２２にて電圧検出器(不図示)を用いて測定される。おそらくは図４に示したマイクロプロセッサを用いて、確定された電力網電圧に依存して、最適な位相角φが計算される。電力網電圧Ｕは次に調整装置を用いて所望の値Ｕrefに調整される。
【００５３】
発電機１２により電力網６に供給される電力は、位相角の変化により調整される。
【００５４】
図２３は、電力網の電圧と位相角との間の関係を示す。もし、電圧が、電圧値ＵminとＵmaxの間にある、基準値Ｕrefからそれると、電圧検出ポイント(図２１の２２)での電圧を安定させるために、誘導性または容量性の無効電力が電力網に供給されたかによる、変位の軌跡に基づくように、図中の特性カーブに従って、位相角φが変更される。
【００５５】
図２４は、図２１に示した制御および調整装置１０の本質的な構成要素を示す。その制御および調整装置１０は、発電機で生じた交流電流が整流される整流器を有する。整流器１６に接続された周波数変換器１８は、最初に整流された直流電流を交流電流に変換し、ラインＬ1、Ｌ2、Ｌ3の３相交流電流の形態で電力網に給電される。
【００５６】
周波数変換器１８は、調整装置全体の一部であるマイクロプロセッサ２０を用いて制御される。その目的のために、マイクロプロセッサ２０は、周波数変換器１８に結合される。マイクロプロセッサ２０に対する入力パラメータは、現在用いている電力網の電圧、発電機の電力Ｐ、電力網の電圧Ｕrefの基準値および電力の傾斜 dP/dtである。供給されるべき電力のこの発明に基づく変更は、マイクロプロセッサ２０で実行される。
【００５７】
図２５は、ウインドパークの例として、２基の風力発電装置２を示す。調整装置１０はこれらの風力発電装置２の各々に関係し、多くの個々の風力発電装置に対してシンボル的に立つ。その調整装置１０は、電力網６、７の所定のポイント２２、２７で電圧を検出し、そして、ライン２５、２６により、電圧をそれぞれ関係する調整装置１０へ送信する。
【００５８】
電力網の部分６、７は、スイッチデバイス２３により互いに一緒にまたは分離して接続できる。スイッチデバイス２３と２４がパラレルにされると、スイッチデバイス２３のスイッチ状態に基づき、二つの調整装置１０が互いに接続され、あるいは互いに分離される。
【００５９】
電力網の二つの部分６、７が互いに接続されると、二つの調整装置１０も互いに接続され、全体の電力網は、１つの結合とみなされ、一つの結合として、全体のウインドパークにより給電され、そのウインドパークは、検出ポイント２２、２７での電圧に依存して、統合された様式で再度、調整される。
【００６０】
もし、二つの部分６、７がスイッチデバイス２３により分離されると、調整装置１０も互いに分離され、ウインドパークの一つの部分は、調整装置１０によりライン２５を通じて検出ポイント２２にてモニターされ、ウインドパークの関係した部分が対応して調整される。一方、電力網の他の部分７は、調整装置１０により、ライン２６を通じて検出ポイント２７にてモニターされ、ウインドパークの他の部分を調整して電力網の部分７での電圧を安定させる。この分割は二つの部分に限定されないことが理解される。
【００６１】
この発明によるウインドパークの中央の調整は、ウインドパークが公衆電源網に電気エネルギーを供給するだけでなく、好ましくは公衆電力網のオペレータにより、同時に電力網をサポートするように制御される。この出願にて、記述がウインドパークに対してなされる限り、その出願は、個々の風力発電装置も記述するようにしており、常に複数の風力発電装置のみを記述していない。その点に関し、ウインドパークを常に形成しているのは正確には多数の風力発電装置である。
【００６２】
ウインドパークの中央制御のために、本発明によれば、公衆電力網の管理者は、適した制御ラインの手段でウインドパーク/風力発電装置への制御アクセスすら持たずに、彼は、ウインドパーク/風力発電装置から、例えば、測定された風力データ、ウインドパークの状態についてのデータ、および、例えばウインドパークの利用できる電力(現在発生している電力や有効電力)についてのデータのごときデータを収集することもできる。
【００６３】
また、このような中央制御は、ウインドパークはある状況では、電力網全体から切り離すことを意味する。例えば、もし、公衆電力網の管理者によりプリセットされた電力網接続規則がウインドパーク側で観察できない時である。
【００６４】
もし例えば、電力網の電圧が与えられた所定値(例えば回路電圧の７０から９０％の値)を下回ったなら、ウインドパークは、所定の時間(例えば２から６秒の間)、電力網から切り離さなくてはならない。
【００６５】
最後に、ウインドパークの電力変化(dP)が、風速により予め設定されるのみならず、与えられた時間間隔を全体で変更もできることが必要である。その電力パラメーターもしたがって電力勾配と呼ばれ、それぞれの利用可能な電力のどれだけのパーセントを所定の時間内(例えば１分毎に)に変更してもよいかによって指定する。その結果、例えば、ウインドパークの電力傾斜が、１分毎の電力網接続能力の最大で５〜１５％で好ましくは１０％であることが与えられる。
【００６６】
ウインドパークのこのような調整は、パークのすべての風力発電装置のために同時に、あるいは、所定の電力傾斜でそれらの電力供給を一様に増大させることにより実行できる。１０から２０基の範囲の例に対するウインドパークの場合、最初に、１または２基が最初に(それぞれの電力傾斜の大きさで)電力網に最大電力で給電し、次いで、ウインドパークの利用できる電力のすべてが電力網に給電されるまで、それぞれの所定の電力傾斜に基づき、別の装置が所定の時間内で割り込むことも可能である。
【００６７】
この発明に基づくウインドパークの調整の別の態様は、現在利用できるウインドパークの例えば１０％のレベルで、または、ウインドパークにつき、例えば５００Kwから１MWの間の固定値で予備電力を備えることである。その予備電力は、ウインドパークの電力網接続電力を超過するパークの電力と混同してはならない。その予備電力は、決定的に、電力網接続電力の範囲を超過しない電力の予備(有効電力および無効電力の双方)を含む。その予備電力は、公衆給電網の管理者により指示できる。つまり、電力網接続電力をウインドパークから電力網に給電するのに利用できる十分な風力があるなら、電力供給事業者は、ウインドパークへの指令制御介入により、この理論的に可能な電力が電力網に完全に供給されず、利用できる電力の一部を予備電力として供給する。その予備電力特定の態様は、(電力が電力網に給電される別の箇所にて)電力所の予期しない故障発生時に、その電力網は対応する予備電力を呼び出すことにより安定化できる。
【００６８】
従って、ウインドパークに上記の中央制御を備えることで、電力網に供給される電力は、正常な時を下回り、そのため、電力網でのぞれぞれの電力要求に依存して、ウインドパークにより利用できる電力以下となる。
【００６９】
この上述した電力制御手順を実行できるように、電力網管理者は、電力網管理者も、風速、ウインドパークの設備状態(いくつの設備が稼働しているか、いくつが非動作または故障か)および、好ましくは最大可能な有効電力の供給のごとき、指示されたデータを要求する。それに関して、風速および設備状態から蹴ってできない時には、最大可能な有効電力の供給については、それがデータのみの形態で提供しなければならないという制約がある。
【００７０】
通常のバスシステム、例えば、標準化されたバスシステムも、ウインドパークの制御のために、および、電力供給事業者に対するデータ供給にも用いることができる。そのような標準化されたバスシステム、例えば、プルーフバス システムに対して既に標準化されたインタフェイスが存在する。そのため、中央のウインドパーク制御も適した制御コマンドを用いて実行できる。
【００７１】
上述への追記として、ウインドパークが、予め設計した電力からの時、つまり、５０MW以上の合計出力で、大規模の電力所として処理され、そして、大規模の電力所に対する状態を安全にしなければならない。
【００７２】
最後に、また、電力網の接続値(電力網の接続能力)が超過しないように、ウインドパークが調整される。
【００７３】
最後に、ウインドパーク内でスイッチオン/切断があった時、要求されない電力網が反作用を起きないようにすることが必要である。例えば、ウインドパーク内でスイッチオン/切断があった時、電流が、接続能力に対応する公称電流に対して所定値よりも大きくならない。そのような値は、例えば１．０から１．４の間の範囲である。
【００７４】
公衆電力網の周波数が上昇すると、既述したように、例えば正規の周波数５０Hzに対して５０．２５Hzとなったなら、電力網周波数が記述した値に安定化するまで、ウインドパークの供給される有効電力は自動的に低減される。
【００７５】
従って、電力網の要求を観察できるように、電力供給を減じたレベルでウインドパークを動作できるようにしなければならない。上記電力調整は、また、いかなる動作状況においても、およびいかなる動作ポイントであっても、電力供給(特定の有効電力)が所望の値に低減できることを意味する。
【００７６】
従って、たとえば、安全な信頼できるシステム動作に対して危険があるなら、上流に位置する電力網で傷害または過負荷の危険は凍結されるべきであり、孤立した電力網の形成の危険性があるなら、静止したまたは流動的な安定性が危険性にさらされ、頻繁な上昇は全体の電力網システムに危険性にさらし、例えば、修理動作または他の操作的な調整された停止も給電事業者で起こる時には、利用できる給電電力に給電電力を制限することができる。
【００７７】
既に上述され、必要な場合それは与えられることになっている有効電力の供給に加えて、与えられた無効電力を提供することも可能であり、その場合、電力供給事業者により希望された時、特に誘導性および容量性の範囲内の双方で、つまり、不足励磁および過励磁に無効電力の提供が可能である。これに関連して、それぞれの値は、電力供給事業者により前記目的のために予め決定できる。
【００７８】
前記接続時に、無効電力供給に対する基準値を可変に設定でき、その基準値のプリセットは、電力ファクタ(cosφ)または電圧の大きさに対して、電力網の接続ノードにて達成される。固定基準値を予め設定することも可能である。
【００７９】
既述したように、電力網内の周波数があるレベルを超過するか、下回ると、電力供給が低減されるか、および/または、ウインドパークが電力網から切り離される。この結果、例えば、電力網が、５０Hzの周波数を有する電力網がおよそ４８Hzに降下した時、または、５１Hzから５２Hzになった時、ウインドパークは電力網から切り離される。これについて、目的とした範囲以下の値で、範囲の制限内で、例えば現在利用できる電力の８０から９５％の範囲内で、現在利用できる電力の一部を電力網にまだ供給できる。
【００８０】
たとえば、電力網の電圧が所定値以下に低下したなら、電力網周波数がそれた場合のように、同じことが言える。言い換えれば、電圧が、与えられた電圧内の所定の電力網電圧から降下または超過した時、まず、電力供給が低減され、そして、電力網電圧が与えられた制限値から降下、または超過した時、装置は完全に電力網から切り離されるか、または少なくとも電力網への給電が０にセットされる。
【００８１】
最後に、電力網の与えられた電圧および/又は周波数に達した時、予め実行され既に低減されている、電力を供給することなく、試みられテストされた、ウインドパークのシャット・ダウンされることも提供される。
【００８２】
電力網周波数/電力網電圧での所定の範囲内に対する所定範囲内の与えられた周波数変移/電圧変移では、電力網からのウインドパークの自動分離は、実行されないということも意味する。
【００８３】
最後に、電力網保護目的のために、電圧値が超過した時、シャットダウン時間は、電圧低減保護の場合(１秒以上、好ましくは２から６秒の間のシャットダウン時間)に比べ、著しくより短くなる(例えば５０から２００ミリセカンドの間の範囲)ことも提供されている。上側周波数又は下側周波数の値が、所定値からの超過または下降した時のシャットダウン時間については、更に許容できる制限値は、電圧が(所定の電圧値を)超過している時のシャットダウン時間にほぼ等しい。
【００８４】
最後に、電力網の故障時に、例えば短絡時に、電力網からのウインドパークの自動分離は、常にすぐに起きるのではなく、個々の電力網接続に依存して、ある程度に電力網のサポートを与えることができるように、更に電力網内に対して短絡回路への明白な電力として供給するようにして、ウインドパークも制御できる。このことは、ウインドパークが最大可能な皮相電流(皮相電力)を供給することを意味し、これは電力網接続能力に対応する電流の１倍または１．５倍に対応する。
【００８５】
上述した挙動も、例えば、５０KV以上の所定の値を超過するなら、その公称電圧のレベルに依存してなされる。
【００８６】
上述のシャットダウン手順は、適した時間で行うことができ、例えば、それを実行するために保護リレー(距離保護リレー)を電力網の接続ノードに設ける。
【００８７】
ウインドパークが再度、起動される時、非同期の電圧が敏感に、電力網を乱してそれをシャットダウンさせるので、最後に、ウインドパークの始動時に、電力網内の電圧とウインドパークの電圧とを同期させための手段も備えるべきである。
【００８８】
本発明に基づく限り、電力は、ウインドパークにより現在利用できる電力(種々の測定により行われる)の値以下に調整される。
【００８９】
例えば、出力は個々の装置に対して全体的に低減できるので、ウインドパーク全体を所望の低減した出力値にすることができる。それに対する代替として、個々の装置のみがそれらの出力供給値に関して低減され、ウインドパークの合計の供給値を所望の値にすることもできる。
【００９０】
最後に、ウインドパークにより利用できる与えられた電力が、中間的な格納器、いわゆるダンプ負荷(抵抗)または他のエネルギー格納手段に格納されるか、あるいは、他の形態のエネルギーに変換されるかして、ウインドパークの供給値が所望の値になるようにしてもよい。
【００９１】
電力出力の低減も、一つの風力発電所装置または与えられた風力発電装置が全体的に電力網から切り離され、それにより、ウインドパークの全体電力(特にそれの有効電力)が所望の値に、および／または所望の値以下にセットできる手順によって行える。
【００９２】
ウインドパークについてのデータ(風データ、位置データ、電力データなど)またはウインドパークの制御のためのデータ伝送のために、ワイヤレス通信構成を提供することも可能であり、それにより、制御データまたは情報データはワイヤレスで伝送および処理ができる。
【００９３】
上述したウインドパークの調整の場合、ウインドパーク内にて、手順が最大エネルギーとして利用できる値を確定する手順をも含み、また、更にどれだけのエネルギーを電力網に供給できるかを確定する手順を含み、それにより、給電事業者側において、ウインドパークの制御に基づき実質的に異なる量を取り込み、必要なら補償される給電補填量の計算を可能にする。
【００９４】
既述したように、制御ラインによるアクセスにより、種々の理由(電力網保護、電力制御)のために、給電網を運転する給電事業者が、ウインドパークまたは個々の風力発電装置の出力の制限または規制する可能性を持つことを可能にすることだけでなく、給電網の管理者が、同時に、ウインドパークの現状についてのデータ(例えば最大利用可能電力、風速などについてのデータ)を取得することも可能にする。出力が現在利用できる電力以下に制限された時、ウインドパークまたはウインドパークの風力発電装置が最適な使用状態にセットされていないので、そのため、風力発電装置の管理者側に給電ロスを招く。したがって、ここで、この発明も、規則システムを企てる給電側では、この発明で取り除かれない、それに関する違いを検知する仮想電流計の準備、およびしたがって、ウインドパークまたは風力発電装置の出力に関する制限を提案する。そのような“仮想の電流計”は、一方で風速から利用されるべき電力を確定し、そして、同時に、給電者あるいは誰か他の人が個々の風力発電装置の電力出力あるいは、利用できる電力出力以下にウインドパーク全体を低減する場合、運転を統合することにより、電力網に給電されないエネルギー量を確定(カウント)することを可能にする。この仮想の電流計は、風力発電装置の管理者が“仮想電流”(つまり、電力供給の規制時実施のために電力網に供給されない電流)に対しても報酬を得ることを可能にする。この“仮想電流計”は、風力発電装置の管理者において、ウインドパーク内のそれぞれの風力発電装置内に、給電者側において、または、風力発電装置の製造者において設置できる。
【００９５】
この発明が用語、風力発電装置を用いる限りでは、それは用語、ウインドパークと同意語である。この発明が述べている発明の種々の態様の限りでは、それらを包含したもので風力発電装置またはそれらの制御に実施できる。しかしながら、さらに、この出願が常に発明の様々な態様と共に記述しているが、発明の更なる態様がなくても、発明による異なるアプローチが実行され、個別にクレーム化されることをも可能にする。しかしながら、この発明の種々の態様が実行され、個別にクレーム化され、かつ、それの一般的な記述は従って、共に実行され、クレーム化されるものと常に等価ではないことが当業者なら容易に理解できる。
【図面の簡単な説明】
【００９６】
【図１】風力発電装置のブロック回路図。
【図２】ウインドパークの原理を示す。
【図３】（原文に記載なし）
【図４】（原文に記載なし）
【図５】（原文に記載なし）
【図６】（原文に記載なし）
【図７】（原文に記載なし）
【図８】（原文に記載なし）
【図９】（原文に記載なし）
【図１０】（原文に記載なし）
【図１１】風力発電装置の周波数/電力の時間グラフを示す。
【図１２】風力発電装置の側面図を示す。
【図１３】風力発電装置のインバータ(これはマイクロプロセッサで制御される)のブロック回路図を示す。
【図１４】風力発電装置の調整装置の図である。
【図１５】電力網への風力発電装置の接続を示す。
【図１６】図１３に関連した別のブロック回路図を示す。
【図１７】（原文に記載なし）
【図１８】（原文に記載なし）
【図１９】（原文に記載なし）
【図２０】（原文に記載なし）
【図２１】電力網に給電する風力発電装置の単純化した図である。
【図２２】風力発電装置の運転のための、この発明に基づく調整装置を示す。
【図２３】電力網の電圧と位相角の関係を示す図である。
【図２４】図２２で示した調整装置の本質的な要素を示す図である。
【図２５】複数の風力発電装置の調整を単純化した図であり、その調整は、個々の電力網の状況に基づき個別または共通である。
【符号の説明】
【００９７】
１  風力発電装置
４  ロータ
６  電力網
１０  調整装置
１２  発電機
１８  周波数変換器
２０  マイクロプロセッサ
２２  電圧検出装置
２３  スイッチングデバイス
【図１】
2005505223.tif 000003
【図２】
2005505223.tif 000004
【図１５】
2005505223.tif 000005
【図２１】
2005505223.tif 000006
【国際公開パンフレット】
2005505223.tif 000007
2005505223.tif 000008
2005505223.tif 000009
2005505223.tif 000010
2005505223.tif 000011
2005505223.tif 000012
2005505223.tif 000013
2005505223.tif 000014
2005505223.tif 000015
2005505223.tif 000016
2005505223.tif 000017
2005505223.tif 000018
2005505223.tif 000019
2005505223.tif 000020
2005505223.tif 000021
2005505223.tif 000022
2005505223.tif 000023
2005505223.tif 000024
2005505223.tif 000025
2005505223.tif 000026
2005505223.tif 000027
2005505223.tif 000028
2005505223.tif 000029
2005505223.tif 000030
2005505223.tif 000031
2005505223.tif 000032
2005505223.tif 000033
2005505223.tif 000034
2005505223.tif 000035
2005505223.tif 000036
2005505223.tif 000037
2005505223.tif 000038
2005505223.tif 000039
2005505223.tif 000040
2005505223.tif 000041
2005505223.tif 000042
2005505223.tif 000043
【手続補正書】
【提出日】平成15年10月15日(2003.10.15)
【手続補正１】
【補正対象書類名】特許請求の範囲
【補正対象項目名】全文
【補正方法】変更
【補正の内容】
【特許請求の範囲】
【請求項１】
複数の風力発電装置を備えたウインドパークの運転方法であり、ウインドパークは、給電網に接続され、ウインドパークにより生じた電力はその給電網に供給され、ウインドパークおよび/又は、ウインドパークの風力発電装置の少なくとも１つは、制御入力部を有し、その制御入力部を用いて、ウインドパークまたは一つ以上の風力発電装置の電力が、利用できる個々の電力、特に公称電力の０から１００％の範囲内に設定でき、そして、制御入力部に接続されたデータ処理装置を備え、ウインドパーク全体がその出力部にて給電網に供給する電力の大きさに応じて、そのデータ処理装置を用いて０から１００％の間の範囲に設定値が設定され、そして、ウインドパークが接続される電力供給網の管理者(PSU)は、制御入力部を用いて、ウインドパークにより供給される電力を調整でき、給電網における電力網周波数が与えられた値から超過または低下した時、および、給電網内の電圧が与えられた値から超過および降下した時、および、供給される電流と供給される電圧との間の位相位置の位相角φが電力網電圧に応じて変化した時、ウインドパークの供給電力が低減される、ウインドパークの運転方法。
【請求項２】
給電網に供給できる、または供給できるかもしれない電力よりも大きい公称電力を有し、前記電力供給網に接続されるウインドパーク。
【請求項３】
ウインドパークの一つ以上の風力発電装置またはすべての風力発電装置は、最大可能電力網供給電力値に達した時に出力が絞られる請求項２記載のウインドパーク。
【請求項４】
出力のしぼり値の大きさが、すべての風力発電装置で同じであるか、それとも異なる請求項１から３のいずれかに記載のウインドパーク。
【請求項５】
ウインドパークは一つ以上の風力発電装置を備え、風力発電装置により供給される電力は、その合計を、供給できる最大可能電力値(公称電力)よりも低い、最大可能電力網供給値に制限し、前記最大可能供給値は、エネルギーが供給される電力網の受け取る能力(電力容量)により、および/または、電力伝送ユニットまたは変圧器の電力容量により決定され、その手段により、風力発電装置で生じたエネルギーが電力網に供給される請求項２から４のいずれかに記載のウインドパーク。
【請求項６】
ウインドパーク内で最初に風が当たる風力発電装置は、風方向で前記風力発電装置の背後に位置する風力発電装置にくらべて、より少なく制限される請求項２から５のいずれかに記載のウインドパーク。
【請求項７】
電気的パワーを電力網に供給するための発電機を有する、少なくとも一つの風力発電装置を備えるウインドパークの運転方法であり、ウインドパークにより電力網に供給される電力は、電力網の周波数に依存して調整または調節される方法。
【請求項８】
ウインドパークにより電力網に供給される電力は、電力網の周波数が所定値を超過もしくは低下した時に減じられる請求項７に記載の方法。
【請求項９】
風力発電装置の供給電力は、電力網の周波数がそれの基準値より３％好ましくは６％超過、または下回った時に低減される請求項８記載の方法。
【請求項１０】
請求項１から９のいずれかに基づく方法を実行するために、少なくとも１つの風力発電装置を備えるウインドパークであり、前記風力発電装置は、ロータ、電力網に電力を供給するために前記ロータに結合した発電機を備え、調整装置は、電力網に印加された電圧(電流)の周波数を測定するための周波数検出器を有し、そして、ウインドパークにより電流網に供給された電力は、周波数検出器により測定された電力網の周波数に依存して調節できるか、外部(PSU)から調節できる、ウインドパーク。
【請求項１１】
前記調整装置はマイクロプロセッサを有する請求項４記載のウインドパーク。
【請求項１２】
前記風力発電装置(ウインドパーク)はマイクロプロセッサに結合したインバータを有する請求項１１記載のウインドパーク。
【請求項１３】
風力発電装置の機械的パワーは、風に対して調節可能なロータブレードにより生成される請求項１０〜１２のいずれかに記載のウインドパーク。
【請求項１４】
もし電力網の周波数が、その基準値に対する所定値、好ましくは基準値の２％を超過した時、または下回った時に、風力発電装置はいかなる電力も供給しない請求項１０〜１３のいずれかに記載のウインドパーク。
【請求項１５】
電力を電力網に供給するために、風力発電装置のロータにより駆動される発電機を備える風力発電装置を有するウインドパークの運転方法であり、
電力網に供給される電力の電圧および/又は電流を制御する制御装置を備え、電力網の少なくとも一箇所での電圧を測定するための手段を備え、その測定値は、制御装置に供給され、その制御装置は、測定値に基づき位相角の変更を行い、前記位相角φは、供給される電流と電圧との間の位相差を決定する運転方法。
【請求項１６】
前記位相角φは、電力網の少なくとも１箇所での電圧が実質的に変化しないように変更される請求項１５記載の方法。
【請求項１７】
前記電圧は、電力網内の少なくとも一つの所定ポイント(２２、２７)で検出される請求項１５又は１６に記載の方法。
【請求項１８】
前記電圧は、給電ポイントとは異なるポイント(２２、２７)で検出される請求項１５〜１７のいずれかに記載の方法。
【請求項１９】
前記位相角φとして設定されるべき値は、所定の特性値に由来する請求項１５〜１８のいずれかに記載の方法。
【請求項２０】
前記調整は、電力網内にて、スイッチング装置への直接的または間接的な実行による請求項１５〜１９のいずれかに記載の方法。
【請求項２１】
電圧網の部分(６、７)に対し、対応する電圧検出手順と位相角φによる調整手順とが別々に実行される請求項１５〜２０のいずれかに記載の方法。
【請求項２２】
装置(１０)は請求項１５〜２１に基づく方法を実行する風力発電装置。
【請求項２３】
少なくとも二つの風力発電装置を有し、上述したいずれかの請求項に基づく方法を実行するための装置(１０)および、ウインドパークの個別に調節可能なウインドパークの部分を個別に調整できる個別の電圧検出装置(２２、２７)を備えるウインドパーク。
【請求項２４】
給電網の電圧が公称電圧以下の値、例えば電力網の電圧値の７０から９０％の間の値に降下した時、ウインドパークは、所定の極めて短い時間、例えば２から６秒の間、電力網から切り離される請求項２３に記載のウインドパーク。
【請求項２５】
ウインドパークの電力の増大または低下が、１分あたり、ウインドパークの電力網接続能力の５から１５％の間の値に、好ましくは１０％の値に制限される請求項２３又は２４に記載のウインドパーク。
【国際調査報告】
2005505223.tif 000044
2005505223.tif 000045
2005505223.tif 000046
2005505223.tif 000047
2005505223.tif 000048
2005505223.tif 000049
2005505223.tif 000050
2005505223.tif 000051